(57)【要約】【課題】  人気のあるコンテンツをレギュラー番組又は特別番組として、テレビまたはラジオを通して放送することを支援する放送化支援方法を提供する。【解決手段】  インターネットを介して、ユーザが使用する情報端末にコンテンツを配信するコンテンツ配信サーバと、視聴情報集計サーバとを備えるシステムにおける放送化支援方法であって、前記コンテンツ配信サーバが、インターネットを介して、ユーザが使用する情報端末に配信するコンテンツに関する視聴情報を、前記視聴情報集計サーバに提供するステップと、前記視聴情報集計サーバが、前記視聴情報を分析し、ユーザが使用する情報端末に配信されたコンテンツを人気に応じてランク付けするステップとを有する。【選択図】        図１
2005210336.tif 000002
【特許請求の範囲】
【請求項１】
インターネットを介して、ユーザが使用する情報端末にコンテンツを配信するコンテンツ配信サーバと、
視聴情報集計サーバとを備える放送化支援システムであって、
前記コンテンツ配信サーバは、インターネットを介して、ユーザが使用する情報端末に配信するコンテンツに関する視聴情報を、前記視聴情報集計サーバに提供する手段を有し、
前記視聴情報集計サーバは、前記視聴情報を分析する手段を有することを特徴とする放送化支援システム。
【請求項２】
前記視聴情報集計サーバは、インターネットを介して、ユーザが使用する情報端末に配信されるコンテンツに関する視聴情報を収集する手段を有することを特徴とする請求項１に記載の放送化支援システム。
【請求項３】
前記コンテンツ配信サーバが前記視聴情報集計サーバに提供するコンテンツに関する視聴情報として、コンテンツ視聴ユーザのコンテンツ配信サーバの掲示板への書き込み、およびアンケート情報の少なくとも一方と、コンテンツの視聴者数とを含むことを特徴とする請求項１または請求項２に記載の放送化支援システム。
【請求項４】
前記視聴情報集計サーバの前記視聴情報を分析する手段は、ユーザが使用する情報端末に配信されたコンテンツを、人気に応じてランク付けすることを特徴とする請求項１ないし請求項３のいずれか１項に記載の放送化支援システム。
【請求項５】
インターネットを介して、ユーザが使用する情報端末にコンテンツを配信するコンテンツ配信サーバと、
視聴情報集計サーバとを備えるシステムにおける放送化支援方法であって、
前記コンテンツ配信サーバが、インターネットを介して、ユーザが使用する情報端末に配信するコンテンツに関する視聴情報を、前記視聴情報集計サーバに提供するステップと、
前記視聴情報集計サーバが、前記視聴情報を分析するステップとを有することを特徴とする放送化支援方法。
【請求項６】
前記視聴情報集計サーバが、インターネットを介して、ユーザが使用する情報端末に配信されるコンテンツに関する視聴情報を収集するステップを含むことを特徴とする請求項５に記載の放送化支援方法。
【請求項７】
前記コンテンツ配信サーバが前記視聴情報集計サーバに提供するコンテンツに関する視聴情報として、コンテンツ視聴ユーザのコンテンツ配信サーバの掲示板への書き込み、およびアンケート情報の少なくとも一方と、コンテンツの視聴者数とを含むことを特徴とする請求項５または請求項６に記載の放送化支援方法。
【請求項８】
前記視聴情報集計サーバが前記視聴情報を分析するステップにおいて、前記視聴情報集計サーバが、ユーザが使用する情報端末に配信されたコンテンツを、人気に応じてランク付けすることを特徴とする請求項５ないし請求項７のいずれか１項に記載の放送化支援方法。
【発明の詳細な説明】
【技術分野】
【０００１】
本発明は、放送化支援システムおよび放送化支援方法に係わり、より詳細には、インターネットを介して配信されるコンテンツの中から人気のあるコンテンツを選択して、テレビまたはラジオ放送網を通じて、レギュラーまたは特別番組として放送することを支援する放送化支援システムおよび放送化支援方法に関する。
【背景技術】
【０００２】
従来、下記特許文献１、特許文献２に開示されているように、テレビやラジオで放送された番組を、インターネットを介して配信したり、特定のシーンに関する付加情報を提供する方法は知られている。
また、従来、下記特許文献３、特許文献４に開示されているように、視聴率を収集する方法も知られている。
【０００３】
なお、本願発明に関連する先行技術文献としては以下のものがある。
【特許文献１】特開２００２−３２３９６号公報  「情報提供システムとその情報提供方法、及び情報提供プログラムを提供した記録媒体」
【特許文献２】特開２００３−１０１４９８号公報  「テレビ又はラジオの放送番組のインターネット配信システム」
【特許文献３】特開２００１−１７７８５３号公報  「視聴検出システム及び映像再生装置並びに視聴検出方法」
【特許文献４】特開２００２−１４２２３４号公報  「視聴率又は視聴率を集計可能にした受信装置とその集計方法及びその方法を記録した記録媒体、半導体装置」
【発明の開示】
【発明が解決しようとする課題】
【０００４】
しかしながら、前述の特許文献１、特許文献２に記載されている技術は、従来の番組放送に対する付加価値サービスに位置づけられるものであり、インターネットを介して配信される人気のあるコンテンツをテレビやラジオの放送番組として活用するという範疇のものではない。
また、前述の特許文献３、特許文献４に記載されている技術は、テレビやラジオで受信中の視聴チャネルを記録、収集することを可能にするが、インターネットを介して配信するコンテンツの中から人気のあるものを選んで、テレビやラジオ放送番組として活用することを指向するものではない。
本発明の目的は、インターネットを介して提供されるコンテンツの中から人気のあるものを選択する技術や方法を提供するに留まらず、人気のあるコンテンツをレギュラー番組または特別番組として、テレビまたはラジオを通して放送することを支援する放送化支援システムおよび放送化支援方法を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
即ち、本発明は、インターネットを介して、ユーザが使用する情報端末にコンテンツを配信するコンテンツ配信サーバと、視聴情報集計サーバとを備える放送化支援システムにおいて、前記コンテンツ配信サーバが、インターネットを介して、ユーザが使用する情報端末に配信するコンテンツに関する視聴情報を、前記視聴情報集計サーバに提供し、前記視聴情報集計サーバが、前記視聴情報を分析することを特徴とする。
また、本発明では、前記視聴情報集計サーバが、インターネットを介して、ユーザが使用する情報端末に配信されるコンテンツに関する視聴情報を収集することを特徴とする。
また、本発明では、前記コンテンツ配信サーバが前記視聴情報集計サーバに提供するコンテンツに関する視聴情報として、コンテンツ視聴ユーザのコンテンツ配信サーバの掲示板への書き込み、およびアンケート情報の少なくとも一方と、コンテンツの視聴者数とを含むことを特徴とする。
また、本発明では、前記視聴情報に基づき、前記視聴情報集計サーバが、ユーザが使用する情報端末に配信されたコンテンツを、人気に応じてランク付けすることを特徴とする。
【発明の効果】
【０００６】
本願において開示される発明のうち代表的なものによって得られる効果を簡単に説明すれば、下記の通りである。
本発明によれば、人気の不確定なコンテンツをまず、インターネットに配信し、ユーザの反響を見てテレビやラジオで本格的に放送することができ、番組を放送する際の視聴率獲得のリスクやコストを低減することが可能となる。
【発明を実施するための最良の形態】
【０００７】
以下、図面を参照して本発明の実施例を詳細に説明する。
なお、実施例を説明するための全図において、同一機能を有するものは同一符号を付け、その繰り返しの説明は省略する。
さらに、以下の説明は、本発明の理解を助けるものであって、本発明の請求範囲を制限するものではない。
図１は、本発明の実施例の放送化支援システムの概略構成と動作を説明するための図である。
同図において、１はコンテンツ配信サーバ、２は視聴情報集計サーバ、３はインターネット、４はユーザが使用する情報端末（例えば、パーソナルコンピュータ；以下、単に、ユーザＰＣという）、５は人気コンテンツのレギュラー放送および／または特別番組放送化機構（以下、単に、放送化機構という）、６はテレビまたはラジオ放送局、７はテレビまたはラジオ放送網、８はテレビ受信機、９はラジオ受信機である。
図１において、コンテンツ配信サーバ１は、インターネット３を介してユーザＰＣ４にコンテンツを配信し、ユーザＰＣ４のコンテンツに関する視聴情報を視聴情報集計サーバ２に提供する。
コンテンツ配信サーバ１が、視聴情報集計サーバ２に提供する視聴情報（前述のコンテンツに関する視聴情報）には、コンテンツの視聴数、コンテンツ視聴ユーザのコンテンツ配信サーバ１の掲示板への書き込み、または、アンケート情報、あるいは、その両方（コンテンツ視聴ユーザのコンテンツ配信サーバ１の掲示板への書き込み、およびアンケート情報）が含まれる。
【０００８】
視聴情報集計サーバ２は、前記コンテンツに関する視聴情報に基づいて、コンテンツの視聴数、コンテンツ視聴ユーザのコンテンツ配信サーバ１の掲示板への書き込み、または、アンケート情報、あるいは、その両方（コンテンツ視聴ユーザのコンテンツ配信サーバ１の掲示板への書き込み、およびアンケート情報）を分析し、当該分析結果を放送化機構５に提供する。
放送化機構５は、視聴情報集計サーバ２の提供する分析結果（分析したコンテンツの視聴情報）に基づき人気のあるコンテンツを判定し、テレビまたはラジオ放送局６は、放送化機構５が判定した人気のあるコンテンツを、レギュラー番組あるいは特別番組として、テレビやラジオ放送網を通じて放送することを決定する。
なお、本実施例において、視聴情報集計サーバ自身が、分析結果に基づき、人気のあるコンテンツを判定するようにしてもよく、この場合には、テレビまたはラジオ放送局６は、視聴情報集計サーバ２が判定した人気のあるコンテンツを、レギュラー番組あるいは特別番組として、テレビやラジオ放送網を通じて放送することを決定する。
【０００９】
図２は、本発明の実施例の放送化支援方法を、視聴情報集計サーバ２を中心に説明する図である。
以下、図２を用いて、本実施例の支援方法を説明する。
まず、視聴情報集計サーバ２がコンテンツ配信サーバ１と同一組織にある場合、コンテンツに関する視聴情報をコンテンツ配信サーバ１から取得する（ステップｓ１）。
視聴情報集計サーバ２がコンテンツ配信サーバ１と同一組織にない場合、ユーザが希望するコンテンツに関する視聴情報を、例えば、ユーザＰＣ４などを介してアンケートにより取得する（ステップｓ１１）。
次に、視聴情報集計サーバ２は、ステップｓ１またはステップｓ１１において取得したコンテンツに関する視聴情報を分析する（ステップｓ２）。
次に、視聴情報集計サーバ２での分析結果（分析したコンテンツの視聴情報）に基づき、放送化機構５または視聴情報集計サーバ２が、レギュラー放送、または特別番組としての放送化候補の人気コンテンツを判定し、テレビまたはラジオ放送局６に提供する（ステップｓ３）。
テレビまたはラジオ放送局６は、放送化機構５または視聴情報集計サーバ２が提供する放送化候補の人気コンテンツをレギュラー放送、または特別番組として放送する（ステップｓ４）。
【００１０】
図３は、本実施例の視聴情報集計サーバ２が人気コンテンツを計算するアルゴリズムを説明する図である。
以下、図３を用いて、視聴情報集計サーバ２の人気コンテンツ計算アルゴリズムを説明する。
まず、ステップｐ１において、インターネット３のユーザからコンテンツに関する視聴情報を取得する。
次に、ステップｐ２において、コンテンツに関する視聴情報に基づいて、ユーザの視聴するコンテンツ毎の人気（例えば、視聴するユーザ数）を計数する。
最後に、ステップｐ３において、放送化機構５に提供する放送化番組候補を、例えば、人気に応じてランク付けする。
【００１１】
本実施例によれば、従来のテレビやラジオで放送された番組を、インターネットを介して配信したり、特定のシーンに関する付加情報を提供する範囲を超えて、インターネットを介して配信される人気のあるコンテンツをテレビやラジオのレギュラー番組、または特別番組として放送することを支援することを可能にする。
従って、本実施例によれば、人気の不確定なコンテンツをまず、インターネットに配信し、ユーザの反響を見てテレビやラジオで本格的に放送することができ、番組を放送する際の視聴率獲得のリスクやコストを低減することが可能となる。
また、コンテンツや番組のプロデューサ、特に、新人プロデューサに取って、制作番組をレギュラー放送にのせることは、番組枠が限られていることから、大変難しいが、インターネットによって制作したコンテンツの人気を予め確認できれば、そのコンテンツをレギュラー放送化しやすく、プロデューサの意欲向上にもつながるという効果も期待できる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１２】
【図１】本発明の実施例の放送化支援システムの概略構成と動作を説明するための図である。
【図２】本発明の実施例の放送化支援方法を説明する図である。
【図３】本発明の実施例の視聴情報集計サーバが人気コンテンツを計算するアルゴリズムを説明する図である。
【符号の説明】
【００１３】
１  コンテンツ配信サーバ
２  視聴情報集計サーバ
３  インターネット
４  ユーザが使用する情報端末
５  人気コンテンツのレギュラー放送および／または特別番組放送化機構
６  テレビまたはラジオ放送局
７  テレビまたはラジオ放送網
８  テレビ受信機
９  ラジオ受信機
【図１】
2005210336.tif 000003
【図２】
2005210336.tif 000004
【図３】
2005210336.tif 000005